(57)【要約】      （修正有）【課題】光の透過を良くすることができ、光の透過のムラを削減することができ、Ｌ字形のレンズの角部における光の反射を良くすることができるＤＶＤ装置におけるレンズの構造及び電気機器におけるレンズの構造を提供する。【解決手段】ＤＶＤ装置内に配置されたＬＥＤからの光をＬ字形のレンズ１で導光して、このレンズ１の先端の発光面３ａから発光するようにしたＤＶＤ装置におけるレンズの構造において、Ｌ字形のレンズ１が円柱形に形成されており、レンズ１の屈曲した角部が４５度の面でカットされ、レンズ１の水平部３が先端になるにつれて次第に縮径されていて、レンズ１の垂直部２の端面から光が導光され、この光がレンズ１のカット面１ａで９０度反射され、水平部３を導光されると共に縮径部分３ｂで集光されて発光面３ａで発光されるように構成した。【選択図】図１
2007249096.tif 000002
【特許請求の範囲】
【請求項１】
ＤＶＤ装置内に配置されたＬＥＤからの光をＬ字形のレンズで導光して、このレンズの先端の発光面から発光するようにしたＤＶＤ装置におけるレンズの構造において、前記Ｌ字形のレンズが円柱形に形成されており、前記レンズの屈曲した角部が４５度の面でカットされ、前記レンズの水平部が先端になるにつれて次第に縮径されていて、前記レンズの垂直部の端面から光が導光され、この光が前記レンズの前記カット面で９０度反射され、水平部を導光されると共に前記縮径部分で集光されて前記発光面で発光されるように構成したことを特徴とするＤＶＤ装置におけるレンズの構造。
【請求項２】
電気機器内に配置されたＬＥＤからの光をＬ字形のレンズで導光して、このレンズの先端の発光面から発光するようにした電気機器におけるレンズの構造において、前記Ｌ字形のレンズが円柱状に形成されており、前記レンズの屈曲した角部が４５度の面でカットされていて、前記レンズの垂直部の端面から光が導光され、この光が前記レンズの前記カット面で９０度反射されて水平部を導光され、前記発光面で発光されるように構成したことを特徴とする電気機器におけるレンズの構造。
【請求項３】
前記レンズの水平部の適宜箇所が、前記電気機器のフロントパネルに溶着される取付片と一体に形成されている請求項２に記載の電気機器におけるレンズの構造。
【発明の詳細な説明】
【技術分野】
【０００１】
本発明は、ＤＶＤ装置及び電気機器内に配置されたＬＥＤからの光をＬ字形のレンズで導光して、このレンズの先端の発光面から発光するようにしたＤＶＤ装置におけるレンズの構造及び電気機器におけるレンズの構造に関するものである。
【背景技術】
【０００２】
第１の従来技術を図２（ａ）（ｂ）に示す。この従来のキャビネットは、図２（ａ）（ｂ）に示すように、発光素子から発せられた光を外壁面の所定位置に設けられた表示部に誘導する複数のレンズ１４０を、各レンズ１４０から漏れる光を遮る遮光部１６２を形成された固定部材１６０とともに、キャビネット１３０の内壁面における所定位置の固定部１３３に溶着固定した。固定部材１６０に形成された遮光部１６２は各レンズ１４０から漏れる光を遮るので、レンズ１４０から漏れる光が他のレンズ１４０に入り込むことによる表示部の見づらさを解消することができる。（例えば、特許文献１参照）。
【０００３】
ところが、これにおいては、レンズ１４０が断面四角形であるために、光の透過が良くないという問題があった。
【０００４】
第２の従来技術を図３（ａ）（ｂ）に示す。この従来の多重リングビーム生成方法は、図３（ａ）（ｂ）に示すように、入射端面２１０と出射端面２１１がそれぞれ光軸Ａに対して略垂直な端面を備えた円柱状ロッド２０１を用意する。次に、入射端面２１０に対し、複数の入射光Θ１，２，３・・・を傾け且つそれぞれ入射角θｉｎが相違するように、複数の光源（図示せず）を所定の方法で配置する。その後、図３（ａ）のように入射光Θ１，Θ２，Θ３をそれぞれ入射角θｉｎ１，θｉｎ２，θｉｎ３で円柱状ロッド２０１の入射端面２１０に入射させる。その結果、図３（ｂ）に示すように、光軸に対し垂直な仮想平面Ｐ上に、複数の出射光束に対応する同心円上の多重リングビームＬ１，Ｌ２，Ｌ３がそれぞれ形成される。（例えば、特許文献２参照）。
【０００５】
ところが、これにおいては、円柱状ロッド２０１が屈曲しているものではなかった。
【０００６】
第３の従来技術を図４に示す。この従来の受光装置は、図４に示すように、表示窓に円柱状の導光部３０７を一体成形したので、この導光部３０７に入射された赤外線が導光部３０７内で反射しながら受光素子３０５まで導かれる。そのため、表示窓は導光部３０７の面積よりも若干大きい面積程度だけ大きくするだけでよい。また範囲内に赤外線が入射されればよいので、広い範囲からの赤外線を受光することができる。（例えば、特許文献３参照）。
【０００７】
ところが、これにおいては、円柱状の導光部３０７が屈曲したものではなかった。
【０００８】
第４の従来技術を図５（ａ）（ｂ）に示す。この従来の導光体部材は、図５（ａ）（ｂ）に示すように、火災感知器は、器体内に収納した回路基板に実装された平面状の発光面を有する面発光型の発光ダイオードチップよりなる動作表示用の発光素子４１０を備える。発光素子４１０の光は導光体部材４２０にて導光されて器体の外側へ放射される。導光体部材４２０は、透明合成樹脂の成形品であり、発光素子４１０の発光面から前方に放射された光を集光して導光体部材４２０の中間の導光部４２０ａへ導くレンズとしての機能を有する第１入射部たるレンズ部４２１と、発光素子４１０の発光面から側方に放射された光を導光体部材４２０の導光部４２０ａへ導く第２入射部たる導入部４２２とが連続一体に形成されている。
【０００９】
ところが、これにおいては、導光体部材４２０の形状が複雑であった。
【特許文献１】実用新案登録第３０７４８１１号公報
【特許文献２】特開平１１−６４６３７号公報
【特許文献３】実開平７−２５６３５号公報
【特許文献４】特開２００３−２４８８７８号公報
【発明の開示】
【発明が解決しようとする課題】
【００１０】
本発明は、上記従来の問題に鑑みてなされたものであって、光の透過を良くすることができ、光の透過のムラを削減することができ、Ｌ字形のレンズの角部における光の反射を良くすることができるＤＶＤ装置におけるレンズの構造及び電気機器におけるレンズの構造を提供することを目的としている。
【課題を解決するための手段】
【００１１】
本発明は、上記課題を解決するために提案されたものであって、請求項１に記載の発明は、ＤＶＤ装置内に配置されたＬＥＤからの光をＬ字形のレンズで導光して、このレンズの先端の発光面から発光するようにしたＤＶＤ装置におけるレンズの構造において、前記Ｌ字形のレンズが円柱形に形成されており、前記レンズの屈曲した角部が４５度の面でカットされ、前記レンズの水平部が先端になるにつれて次第に縮径されていて、前記レンズの垂直部の端面から光が導光され、この光が前記レンズの前記カット面で９０度反射され、水平部を導光されると共に前記縮径部分で集光されて前記発光面で発光されるように構成したことを特徴としている。
【００１２】
請求項２に記載の発明は、電気機器内に配置されたＬＥＤからの光をＬ字形のレンズで導光して、このレンズの先端の発光面から発光するようにした電気機器におけるレンズの構造において、前記Ｌ字形のレンズが円柱状に形成されており、前記レンズの屈曲した角部が４５度の面でカットされていて、前記レンズの垂直部の端面から光が導光され、この光が前記レンズの前記カット面で９０度反射されて水平部を導光され、前記発光面で発光されるように構成したことを特徴としている。
【００１３】
請求項３に記載の発明は、請求項２に記載の発明において、前記レンズの水平部の適宜箇所が、前記電気機器のフロントパネルに溶着される取付片と一体に形成されている。
【発明の効果】
【００１４】
請求項１に記載の発明によれば、Ｌ字形のレンズが円柱形に形成されているから光の透過を良くすることができる。更に、レンズの屈曲した角部が４５度の面でカットされているから、Ｌ字形の垂直部から水平部に向けての光の反射を良くすることができる。また、レンズの水平部が先端になるにつれて次第に縮径されているから、水平部を透過する光を集光するすることができ、光の透過をより一層良くすることができる。
【００１５】
請求項２に記載の発明によれば、Ｌ字形のレンズが円柱形に形成されているから光の透過を良くすることができる。更に、レンズの屈曲した角部が４５度の面でカットされているから、Ｌ字形の垂直部から水平部に向けての光の反射を良くすることができる。
【００１６】
請求項３に記載の発明によれば、レンズの水平部の適宜箇所がフロントパネルに溶着される取付片と一体に形成されているから、部品点数を少なくすることができる。更に、レンズのフロントパネルへの取り付けを強固なものとすることができる。
【発明を実施するための最良の形態】
【００１７】
以下、本発明に係るＤＶＤ装置におけるレンズの構造及び電気機器におけるレンズの構造の実施の形態について、図を参照しつつ説明する。
【００１８】
図１は本発明のＤＶＤ装置におけるレンズの構造を示し、（ａ）はそのレンズと取付片を示す斜視図、（ｂ）はそのレンズ内を導光される光の透過状態を示す説明図である。
【００１９】
本発明のＤＶＤ装置におけるレンズの構造は、図１（ａ）に示すように、複数のＬ字形のレンズ１が円柱状に形成され、垂直部２に連なる水平部３の適宜箇所にフロントパネル（図示略）に溶着される取付片４が一体に形成されている。この取付片４には、フロントパネルに設けられるボスが挿入される孔部４ａが形成されていて、ボスが孔部４ａに挿入された後に溶着されるようになっている。また、図１（ｂ）に示すように、Ｌ字形のレンズ１の角部は４５度の面でカットされていて、垂直部２に導光された光は、このカット面１ａで反射されて水平部３を発光面３ａに向けて透過されるようになっている。更に、水平部３は先端になるにつれて次第に縮径されており、この縮径部分３ｂで光が集光されて発光面３ａから発光されるようになっている。
【００２０】
従って、本実施形態によれば、Ｌ字形のレンズ１が円柱形に形成されているから光の透過を良くすることができる。更に、レンズ１の屈曲した角部が４５度の面でカットされているから、このカット面１ａによりＬ字形の垂直部２から水平部３に向けての光の反射を良くすることができる。また、レンズ１の水平部３が先端になるにつれて次第に縮径されているから、水平部３を透過する光を集光するすることができ、光の透過をより一層良くすることができる。
【００２１】
尚、本実施形態では、ＤＶＤ装置におけるレンズの構造について説明したが、これに限らず、他の電気機器にも適用できることは勿論である。
【図面の簡単な説明】
【００２２】
【図１】本発明のＤＶＤ装置におけるレンズの構造を示し、（ａ）はそのレンズと取付片を示す斜視図、（ｂ）はそのレンズ内を導光される光の透過状態を示す説明図である。
【図２】従来のキャビネットを示し、（ａ）はその背面図、（ｂ）はその背面から見た分解斜視図である。
【図３】（ａ）は従来の多重リングビーム生成方法に用いる円柱状ロッドの子午線断面図、（ｂ）は多重リングビームの斜視図である。
【図４】従来の受光装置の断面図である。
【図５】従来の火災感知器を示し、（ａ）はその部分説明図、（ｂ）はその導光体部材と発光素子との位置関係を示す正面図である。
【符号の説明】
【００２３】
１      Ｌ字形のレンズ
１ａ    カット面
２      垂直部
３      水平部
３ａ    発光面
３ｂ    縮径部分
４      取付片
４ａ    孔部
【図１】
2007249096.tif 000003
【図２】
2007249096.tif 000004
【図３】
2007249096.tif 000005
【図４】
2007249096.tif 000006
【図５】
2007249096.tif 000007